(57)【特許請求の範囲】
【請求項１】
複数の走査電極及び複数の信号電極間の交差位置に設けられた複数の電気光学素子を駆動する電気光学素子の駆動方法であって、
前記複数の走査電極のうち、選択される所定数の走査電極のそれぞれに印加すべき選択電圧を規定する要素から成る直交行列であって、少なくとも、各列に所定の電圧を選定するための奇数個の所定要素を含む一の第１の行列と、前記第１の行列に対して一の行の要素が極性反転された関係にある第２の行列と、前記第１の行列に対して他の一の行の要素が極性反転された関係にある第３の行列とを所定の順序で選定する選定ステップと、
選定された行列における各列の要素によりそれぞれ規定される選択電圧を、前記選択される所定数の走査電極のそれぞれに同時に印加する一方、前記選定された行列における各列の要素のパターンと、前記選択電圧を印加する走査電極および一の信号電極の交差に設けられた電気光学素子の表示パターンとの不一致数に基づいた電圧を、当該一の信号電極に印加する電圧印加ステップと
を含むことを特徴とする電気光学素子の駆動方法。
【請求項２】
前記各行列は４行４列であり、
前記選定ステップは、
前記第１の行列、
前記第２の行列、
前記第３の行列、
前記第１の行列に対する関係が前記一の行及び前記他の一の行とはそれぞれ異なる行の要素が極性反転された関係である第４の行列、及び第５の行列
を所定の順序で選定する
ことを特徴とする請求項１記載の電気光学素子の駆動方法。
【請求項３】
前記選定ステップは、前記複数の第１の行列のうち二以上の第１の行列を連続的に選定し、前記複数の第２の行列及び第３の行列のうち二以上の第２の行列及び第３の行列を連続的に選定する
ことを特徴とする請求項１記載の電気光学素子の駆動方法。
【請求項４】
複数の走査電極及び複数の信号電極間の交差位置に設けられた複数の電気光学素子を駆動する電気光学素子の駆動方法であって、
前記複数の走査電極のうち、選択される所定数の走査電極のそれぞれに印加すべき選択電圧を規定する要素から成る直交行列であって、少なくとも、各列に所定の電圧を選定するための奇数個の所定要素をそれぞれが含む少なくとも二つの第１の行列であって前記各第１の行列での前記所定要素の位置が相互に異なる前記第１の行列と、一の前記第１の行列に対して一の行の要素が極性反転された関係にある第２の行列と、他の前記第１の行列に対して他の一の行の要素が極性反転された関係にある第３の行列とを所定の順序で選定する選定ステップと、
選定された行列における各列の要素によりそれぞれ規定される選択電圧を、前記選択される所定数の走査電極のそれぞれに同時に印加する一方、前記選定された行列における各列の要素のパターンと、前記選択電圧を印加する走査電極および一の信号電極の交差に設けられた電気光学素子の表示パターンとの不一致数に基づいた電圧を、当該一の信号電極に印加する電圧印加ステップと
を含むことを特徴とする電気光学素子の駆動方法。
【請求項５】
前記第１の行列は、前記複数の走査電極に印加する走査信号の電圧を規定する、各列に所定数の電圧のうち所定の電圧を選定するための奇数個の要素をそれぞれが含む４行４列の４個の第１種別の行列であって前記各第１種別の行列の各列での前記所定要素の位置が異なる前記４個の第１種別の行列であり、
前記第２の行列及び前記第３の行列は、前記４個の第１種別の行列のうちの一の行列に対する関係が一の行の要素が極性反転された関係である４個の第２種別の行列であって前記極性反転された一の行が互いに異なる前記４個の第２種別の行列であり、
前記選定ステップは、前記４個の第１種別の行列及び前記４個の第２種別の行列からなる８個の行列を所定の順序で選定する
ことを特徴とする請求項４記載の電気光学素子の駆動方法。
【請求項６】
前記第２の行列及び前記第３の行列は、前記４個の第１種別の各行列との関係が互いに異なる一の行の要素が極性反転された関係である４個の行列の合計１６個の第２種別の行列であり、
前記選定ステップは、前記４個の第１種別の行列及び前記１６個の第２種別の行列からなる２０個の行列を所定の順序で選定する
ことを特徴とする請求項５記載の電気光学素子の駆動方法。
【請求項７】
前記選定ステップは、前記複数の第１種別の行列のうち二以上の第１種別の行列を連続的に選定し、前記第２種別の行列のうち二以上の第２種別の行列を連続的に選定する
ことを特徴とする請求項５記載の電気光学素子の駆動方法。
【発明の詳細な説明】
【０００１】
【発明の属する技術分野】
本発明は、液晶のような電気光学素子の駆動方法に関する。
【０００２】
【背景技術】
従来、複数の走査電極及び複数の信号電極間の交差位置に設けられた複数の前記電気光学素子の駆動方法として、ＭＬＳ（Multi-Line Selection）駆動方法が知られている。該ＭＬＳ駆動方法によれば、前記複数の走査電極のうちの所定数の走査電極に、該所定数の走査電極に配置された前記電気光学素子を選択すべく、直交関数により特定される電圧の走査信号を同時に供給し、該走査信号の供給と同時に、前記走査信号及び前記電気光学素子が表示すべき表示データにより特定されるデータ信号を前記信号電極に供給し、前記走査信号及び前記データ信号により規定される電圧を前記電気光学素子に印加することを１フレーム期間に複数回行う。
【０００３】
【発明が解決しようとする課題】
しかしながら、従来のＭＬＳ駆動方法では、前記走査信号を一つの直交関数を用いて特定することから、前記走査信号及び前記データ信号が固定され、これに起因して、前記電気光学素子に印加され、前記走査信号及び前記データ信号により規定される前記電圧が固定される。従って、一の電気光学素子に印加される前記電圧の周波数が高周波になり、他方、他の電気光学素子に印加される電圧の周波数が直流に近似することになり、これにより、表示ムラが発生するという問題があった。
この発明は上述した事情に鑑みてなされたものであり、表示ムラを低減できる電気光学素子の駆動方法を提供することを目的としている。
【０００４】
【課題を解決するための手段】
上記課題を解決すべく、本発明の一の見地における電気光学素子の駆動方法は、複数の走査電極及び複数の信号電極間の交差位置に設けられた複数の電気光学素子を駆動する電気光学素子の駆動方法であって、前記複数の走査電極のうち、選択される所定数の走査電極のそれぞれに印加すべき選択電圧を規定する要素から成る直交行列であって、少なくとも、各列に所定の電圧を選定するための奇数個の所定要素を含む一の第１の行列と、前記第１の行列に対して一の行の要素が極性反転された関係にある第２の行列と、前記第１の行列に対して他の一の行の要素が極性反転された関係にある第３の行列とを所定の順序で選定する選定ステップと、選定された行列における各列の要素によりそれぞれ規定される選択電圧を、前記選択される所定数の走査電極のそれぞれに同時に印加する一方、前記選定された行列における各列の要素のパターンと、前記選択電圧を印加する走査電極および一の信号電極の交差に設けられた電気光学素子の表示パターンとの不一致数に基づいた電圧を、当該一の信号電極に印加する電圧印加ステップとを含むことを特徴とする。
【０００５】
また、上記電気光学素子の駆動方法においては、前記各行列は４行４列であり、前記選定ステップは、前記第１の行列、前記第２の行列、前記第３の行列、前記第１の行列に対する関係が前記一の行及び前記他の一の行とはそれぞれ異なる行の要素が極性反転された関係である第４の行列、及び第５の行列を所定の順序で選定してもよい。
【０００６】
また、上記電気光学素子の駆動方法においては、前記選定ステップは、前記複数の第１の行列のうち二以上の第１の行列を連続的に選定し、前記複数の第２の行列及び第３の行列のうち二以上の第２の行列及び第３の行列を連続的に選定してもよい。
【０００７】
また、本発明の他の見地における電気光学素子の駆動方法は、複数の走査電極及び複数の信号電極間の交差位置に設けられた複数の電気光学素子を駆動する電気光学素子の駆動方法であって、前記複数の走査電極のうち、選択される所定数の走査電極のそれぞれに印加すべき選択電圧を規定する要素から成る直交行列であって、少なくとも、各列に所定の電圧を選定するための奇数個の所定要素をそれぞれが含む少なくとも二つの第１の行列であって前記各第１の行列での前記所定要素の位置が相互に異なる前記第１の行列と、一の前記第１の行列に対して一の行の要素が極性反転された関係にある第２の行列と、他の前記第１の行列に対して他の一の行の要素が極性反転された関係にある第３の行列とを所定の順序で選定する選定ステップと、選定された行列における各列の要素によりそれぞれ規定される選択電圧を、前記選択される所定数の走査電極のそれぞれに同時に印加する一方、前記選定された行列における各列の要素のパターンと、前記選択電圧を印加する走査電極および一の信号電極の交差に設けられた電気光学素子の表示パターンとの不一致数に基づいた電圧を、当該一の信号電極に印加する電圧印加ステップとを含むことを特徴とする。
【０００８】
また、上記他の見地における電気光学素子の駆動方法においては、前記第１の行列は、前記複数の走査電極に印加する走査信号の電圧を規定する、各列に所定数の電圧のうち所定の電圧を選定するための奇数個の要素をそれぞれが含む４行４列の４個の第１種別の行列であって前記各第１種別の行列の各列での前記所定要素の位置が異なる前記４個の第１種別の行列であり、前記第２の行列及び前記第３の行列は、前記４個の第１種別の行列のうちの一の行列に対する関係が一の行の要素が極性反転された関係である４個の第２種別の行列であって前記極性反転された一の行が互いに異なる前記４個の第２種別の行列であり、前記選定ステップは、前記４個の第１種別の行列及び前記４個の第２種別の行列からなる８個の行列を所定の順序で選定してもよい。
【０００９】
また、上記電気光学素子の駆動方法においては、前記第２の行列及び前記第３の行列は、前記４個の第１種別の各行列との関係が互いに異なる一の行の要素が極性反転された関係である４個の行列の合計１６個の第２種別の行列であり、前記選定ステップは、前記４個の第１種別の行列及び前記１６個の第２種別の行列からなる２０個の行列を所定の順序で選定してもよい。
【００１０】
また、上記他の見地における電気光学素子の駆動方法においては、前記選定ステップは、前記複数の第１種別の行列のうち二以上の第１種別の行列を連続的に選定し、前記第２種別の行列のうち二以上の第２種別の行列を連続的に選定してもよい。
【００１１】
【発明の実施の形態】
1．第１実施形態
次に、本発明の第１実施形態の液晶表示素子の駆動方法について説明する。
まず、ＭＬＳ駆動法においては、非分散型と分散型の２種類が知られている。分散型ＭＬＳ駆動法では、１フレームが例えば第１〜第４フィールドに等分割され、各フィールド毎に走査電極グループが順次選択される。また、非分散型ＭＬＳ駆動法においては、１フレームの中に各走査電極グループに対する選択期間が設けられ該選択期間が第１〜第４期間ｆ１〜ｆ４に分割される。本実施形態は、特に選択期間内の信号レベルの変動による歪みの影響を軽減するものであるため、主として非分散型ＭＬＳ駆動法に適用される。
【００１２】
本実施形態においては、４Ｓ本の走査電極が４本毎に同時に駆動される。その動作の概要を図１を参照し説明する。まず、同時に選択される走査電極の組を走査電極グループＧ１，Ｇ２，…，ＧＳと称する。さらに、各走査電極グループのうち第１番目の走査電極Ｙ１、Ｙ５、…、Ｙk+1、…を第１走査電極Ｒ１と称し、第２，第３，第４番目の走査電極をＲ２，Ｒ３，Ｒ４と、各々称することにする。
【００１３】
図１において、各走査電極には、基準電圧ＶＣを基準として正極性の＋Ｖ３または負極性の−Ｖ３のうち何れか一方が印加される。そして、本実施形態においては、１フレームの中に各走査電極グループに対する選択期間が設けられ該選択期間が第１〜第４期間ｆ１〜ｆ４に分割される。この選択期間内の動作を、図３を参照し、さらに詳細を説明する。同図において「＋１」または「−１」を要素とする「行列」が４種類示されているが、このような行列を「走査パターン群」という。
【００１４】
各要素のうち「＋１」は＋Ｖ３を、「−１」は−Ｖ３を、各々走査電極電圧として選択することを意味する。行列の各「行」は、各々４つの要素から成り、一の選択期間内の第１〜第４期間ｆ１〜ｆ４に何れかの走査電極に印加される選択電圧を時系列的に表わすものになる。一方、行列の各「列」は、各々４つの要素から成り、第１〜第４期間ｆ１〜ｆ４のうち一の期間において走査電極Ｒ１〜Ｒ４に印加される選択電圧の極性の組を示すことになる。これらの「列」を第１〜第４走査パターンＰ１〜Ｐ４と称する。例えば、同図の走査パターン群ＱＡ１を適用し、第１〜第４期間ｆ１〜ｆ４にこれらパターンＰ１〜Ｐ４を順次適用するとすれば、第１走査電極Ｒ１に印加される電圧は、第１〜第４期間において＋Ｖ３，＋Ｖ３，−Ｖ３，＋Ｖ３の順になる。
【００１５】
次に、信号電極電圧は、±Ｖ２、±Ｖ１およびＶＣの中から選択される。上記各電圧の大小関係は、「＋Ｖ３＞＋Ｖ２＞＋Ｖ１＞ＶＣ＞−Ｖ１＞−Ｖ２＞−Ｖ３」の通りである。信号電極電圧は、走査パターンと表示データＤのパターン（以下、表示パターンと称する）との不一致数に基づいて選択される。ここに、表示データＤは、オフ（白）に対して「−１」、オン（黒）に対して「＋１」とする。まず、走査パターンと表示パターンの不一致数が「４」のとき信号電極電圧として＋Ｖ２が選択され、同様に不一致数が「３」のとき＋Ｖ１が、「２」のときＶＣが、「１」のとき−Ｖ１が、「０」のとき−Ｖ２が、各々信号電極電圧として選択される。
【００１６】
図１の例にあっては、列Ｘ１〜Ｘ４の信号電極において常に「白」が表示される。すなわち、これらの列における表示パターンは「−１,−１,−１,−１（白白白白）」である。上記走査パターン群ＱＡ１において第１走査パターンＰ１は「＋１,−１,＋１,＋１」であるから、不一致数は「３」である。他の走査パターンＰ２〜Ｐ４においても、何れも１ラインのみが「−１」であるから、不一致数は常に「３」である。したがって、走査パターン群ＱＡ１を適用する限りにおいては、信号電極電圧として＋Ｖ１が常に選択されることになる。一方、左から第５番目〜第８番目の列Ｘ５〜Ｘ８においては、「白白白黒、黒黒黒白」が繰り返し表示される。
【００１７】
したがって、これらの列におけるＧ１およびＧ３の表示パターンは常に「−１,−１,−１,＋１」になり、信号電極Ｘ５〜Ｘ８の各電圧は、必ずＶＣまたは＋Ｖ２になる。また、これらの列におけるＧ２およびＧ４の表示パターンは常に「＋１,＋１,＋１,−１」になるから、信号電極Ｘ５〜Ｘ８の各電圧は、必ずＶＣまたは−Ｖ２になる。以上から明らかなように、例えば同じ「白」画素に対しても、グループ内の他の画素の表示データに応じて、信号電極電圧の波形は異なることになる。しかし、表示データＤが同一である画素に対しては印加される電圧実効値が同一になるように各電圧値が定められているため、理想的状態（波形歪みが生じない状態）では、これらの画素の輝度は同一になると想定できる。
【００１８】
本実施形態においては、図３に示す走査パターン群ＱＡ１（出願当初の請求項１における第１の行列），ＱＢ１−２（同、第２の行列），ＱＢ１−３（同、第３の行列）の合計３種類の走査パターン群が用いられる。これらの走査パターン群は、フレーム毎に、また走査電極グループ毎に切り換えられる。そして、４フレームを周期として（例えば第１フレーム（１Ｆ）〜第４フレーム（４Ｆ）に対して）、奇数番目の走査電極グループＧ１，Ｇ３，Ｇ５，…には、各走査パターン群は「ＱＡ１，ＱＢ１−３，ＱＡ１，ＱＢ１−２」の順序で適用される。また、偶数番目の走査電極グループＧ２，Ｇ４，Ｇ６，…に対しては、適用順序が一つシフトされ、「ＱＢ１−３，ＱＡ１，ＱＢ１−２，ＱＡ１」の順序で各走査パターン群が適用される。
【００１９】
ここで、各走査パターン群の符号の付与規則について説明しておく。まず、上記走査パターン群ＱＡ１を構成する走査パターンＰ１〜Ｐ４は、「−１」の要素を奇数個（図示の例では１個）含むパターンであることが解る。これらの走査パターンＰ１〜Ｐ４とオン状態（黒）の画素数が偶数になる表示パターン（例えば全白または全黒など）とを比較すると、不一致数は必ず奇数になり、図２(c)の選択期間ＴＧ１に例示したように信号電極電圧は必ず±Ｖ１になる。かかる走査パターン群を「種別Ａ（第１種別）」と呼ぶ。「種別Ａ」に属する走査パターン群は「ＱＡｎ」の形式によって表現する。ここに「ｎ」は「１，２，３，…」の一連番号である。
【００２０】
一方、走査パターン群ＱＢ１−２，ＱＢ１−３は、種別Ａに属する何れかの走査パターン群の何れかの行の要素の極性を反転して成るものである。これらの走査パターン群においては、極性反転の結果、走査パターンＰ１〜Ｐ４は、「−１」の走査電極を偶数個（図示の例では２個または０個）含むパターンであることが解る。これらの走査パターンＰ１〜Ｐ４と全白または全黒などの表示パターンとを比較すると、不一致数は必ず偶数になり、図２(c)の選択期間ＴＧ２に例示したように信号電極電圧は±Ｖ２またはＶＣの何れかになる。
【００２１】
かかる走査パターン群ＱＢ１〜ＱＢ４を「種別Ｂ」と呼ぶ。種別Ｂに属する走査パターン群は「ＱＢｎ−ｍ」の形式によって表現する。ここに「ｎ」は、極性反転を行う前の種別Ａの走査パターン群の一連番号であり、「ｍ」は反転された行の番号（走査電極Ｒ１〜Ｒ４に対して１〜４）である。例えば、「ＱＢ１−２」は、「走査パターン群ＱＡ１の第２行を反転した走査パターン群」の意味になる。
次に、かかる走査パターン群の選択に起因する動作の詳細を説明する。
【００２２】
1．1．信号電極電圧波形に対する歪みの平均化
まず、第１フレーム（１Ｆ）において走査電極グループＧ１，Ｇ２を成す走査電極Ｙ１〜Ｙ８に実際に印加される電圧波形を図２(a)，(b)に示す。上述した適用規則によれば、第１フレーム（１Ｆ）において、奇数番目の走査電極グループＧ１には走査パターン群ＱＡ１が適用され、偶数番目の走査電極グループＧ２には走査パターン群ＱＢ１−３が適用される。従って、図２(a)，(b)の波形は、図３の走査パターン群ＱＡ１，ＱＢ１−３における「＋１」を＋Ｖ３に、「−１」を−Ｖ３に変換したものに等しくなる。
【００２３】
図２(a)，(b)の例にあっては、第１フレーム（１Ｆ）の最初に走査電極グループＧ１に対する選択期間ＴＧ１が設けられ、これに引き続いて走査電極グループＧ２に対する選択期間ＴＧ２が設けられている。他の走査電極グループに対しても、同様にして第１フレーム（１Ｆ）内に選択期間が順次設けられている。次に、図２(c)に、全白の表示パターン「−１,−１,−１,−１」に対して各信号電極に印加される電圧波形を示す。
【００２４】
ここで、信号電極の電圧波形が図示のようになる理由を説明しておく。まず、上述したように、走査パターン群ＱＡ１を構成する走査パターンＰ１〜Ｐ４は、常に１ラインのみが「−１」であるから、表示パターン「−１,−１,−１,−１」に対して不一致数は常に「３」である。したがって、信号電極電圧として＋Ｖ１が常に選択されることになる。
【００２５】
また、選択期間ＴＧ２に適用される走査パターン群ＱＢ１−３内の走査パターンＰ１〜Ｐ３においては、２ラインが「−１」である。このため、第１〜第３期間ｆ１〜ｆ３において不一致数は「２」であり、信号電極電圧としてＶＣが選択される。また、選択期間ＴＧ２の第４期間ｆ４においては、走査パターン群ＱＢ１の走査パターンＰ４が適用される。この走査パターンＰ４は、全て「＋１」であるから、不一致数は「４」であり、信号電極電圧として＋Ｖ２が選択される。従って、信号電極電圧波形は、図２(c)に示すようになる。
【００２６】
このように、全白の表示パターンその他オン状態（黒）の画素数が偶数になる表示パターンに対しては、種別Ａの走査パターン群が適用される走査電極グループにおいて不一致数は必ず奇数になり、各画素の信号電極電圧は、必ず±Ｖ１になる。また、種別Ｂの走査パターン群が適用される走査電極グループにおいて不一致数は必ず偶数になり、各画素の信号電極電圧は、必ず±Ｖ２またはＶＣの何れかになる。
【００２７】
また、オン状態（黒）の画素数が奇数になる表示パターン（例えば図１の列Ｘ５〜Ｘ８）に対しては、不一致数の奇数・偶数の関係が逆転する。すなわち、かかる表示パターンに対して種別Ａの走査パターン群が適用されると不一致数は必ず偶数になり、信号電極電圧は±Ｖ２またはＶＣの何れかになる。また、種別Ｂの走査パターン群が適用されると不一数は必ず奇数になり、信号電極電圧は±Ｖ１になる。
【００２８】
上述した適用規則によれば、奇数番目の走査電極グループＧ１，Ｇ３，Ｇ５，…においても、偶数番目の走査電極グループＧ２，Ｇ４，Ｇ６，…においても、種別Ａおよび種別Ｂの走査パターン群がフレーム毎に交互に適用される。従って、何れの走査電極に対しても、「信号電極電圧が±Ｖ１になるフレーム」と、「信号電極電圧が±Ｖ２またはＶＣになるフレーム」が交互に発生することになる。ここに本実施形態の特徴の一つがある。すなわち、本実施形態によれば、表示パターンの内容に拘らず、「信号電極電圧が±Ｖ１になるフレーム」と「信号電極電圧が±Ｖ２またはＶＣになるフレーム」とが交互に発生するから、信号電極電圧における歪みの影響が平均化され、表示データＤが同一である２つの画素の輝度差すなわち表示ムラを緩和することができるのである。
【００２９】
1．2．横方向の表示ムラの軽減
図２(a)，(b)における電圧波形を比較すると、第３走査電極Ｒ３に対応する走査電極Ｙ３，Ｙ７の電圧波形は極性が反転している。両者は、極性は反転しているものの理想的には電圧実効値は等しいため、同一の表示データＤに対して画素の輝度も同一になると想定できる。しかし、電圧波形の極性を反転にしたことにより、場合によっては両者において歪みの発生態様が異なることもある。また、印加電圧に対する液晶の透過率特性も正負の電圧に対して完全に対称ではない場合もある。さらに、電気光学素子の電源回路においては、±Ｖ３の電圧に対して、正負非対称の誤差が生じる場合もある。
【００３０】
以上のような様々な要因により、印加電圧の極性に応じて輝度差が生じると、第３走査電極Ｒ３に沿って横方向の表示ムラが発生する。そこで、本実施形態においては、種別Ｂの走査パターン群として、走査パターン群ＱＡ１の２行目を反転させたＱＢ１−２と、３行目を反転させたＱＢ１−３の双方が用いられている。これにより、走査電極Ｒ２，Ｒ３のうち一つの走査電極に着目するならば、極性反転の頻度が４フレームに１回になり、反転の頻度を少なくすることによりかかる表示ムラむらが緩和され、一層高品位な表示を行うことが可能になる。
【００３１】
2．第２実施形態
次に、本発明の第２実施形態の液晶表示素子の駆動方法について説明する。
本実施形態においては、第１実施形態の走査パターン群および適用順序（図３）に代えて、図４に示す走査パターン群および適用順序によって各走査電極が駆動される。すなわち、本実施形態においては、図４に示す走査パターン群ＱＡ１，ＱＢ１−２，ＱＢ１−３，ＱＢ１−４の合計４種類の走査パターン群が用いられる。これらの走査パターン群は、フレーム毎に、また走査電極グループ毎に切り換えられる。
【００３２】
そして、６フレームを周期として（例えば第１フレーム（１Ｆ）〜第６フレーム（６Ｆ）に対して）、奇数番目の走査電極グループＧ１，Ｇ３，Ｇ５，…には、各走査パターン群は「ＱＡ１，ＱＢ１−２，ＱＡ１，ＱＢ１−３，ＱＡ１，ＱＢ１−４」の順序で適用される。また、偶数番目の走査電極グループＧ２，Ｇ４，Ｇ６，…に対しては、適用順序が一つシフトされ、「ＱＢ１−２，ＱＡ１，ＱＢ１−３，ＱＡ１，ＱＢ１−４，ＱＡ１」の順序で各走査パターン群が適用される。
【００３３】
本実施形態においては、第１実施形態と同様に、全ての走査電極グループに対して種別Ａおよび種別Ｂの走査パターン群がフレーム毎に交互に適用される。従って、何れの走査電極に対しても、「信号電極電圧が±Ｖ１になるフレーム」と、「信号電極電圧が±Ｖ２またはＶＣになるフレーム」が交互に発生する。これにより、第１実施形態と同様に、信号電極電圧における歪みの影響が平均化され、表示データＤが同一である２つの画素の輝度差すなわち表示ムラを緩和することができる。
【００３４】
また、反転対象となる走査電極は、走査電極Ｒ２〜Ｒ４であり、これらのうち一つの走査電極に着目するならば、極性反転の頻度が６フレームに１回になり、第１実施形態と比較して反転の頻度を一層少なくすることができる。これにより、走査電極電圧の極性毎の特性差に基づく表示ムラむらがさらに緩和され、一層高品位な表示を行うことが可能になる。
【００３５】
3．第３実施形態
次に、本発明の第３実施形態の液晶表示素子の駆動方法について説明する。
本実施形態においては、第１実施形態の走査パターン群および適用順序（図３）に代えて、図５に示す走査パターン群および適用順序によって各走査電極が駆動される。なお、図５において、図４に示した走査パターン群と等しい走査パターン群には同一の符号を付し、その内容を省略する。
【００３６】
図示のように、本実施形態においては、ＱＡ１（出願当初の請求項２における第１の行列），ＱＢ１−１（同、第５の行列），ＱＢ１−２（同、第２の行列），ＱＢ１−３（同、第３の行列），ＱＢ１−４（同、第４の行列）の合計５種類の走査パターン群が用いられる。これらの走査パターン群は、フレーム毎に、また走査電極グループ毎に切り換えられる。そして、８フレームを周期として（例えば第１フレーム（１Ｆ）〜第８フレーム（８Ｆ）に対して）、奇数番目の走査電極グループＧ１，Ｇ３，Ｇ５，…には、各走査パターン群は「ＱＡ１，ＱＢ１−２，ＱＡ１，ＱＢ１−３，ＱＡ１，ＱＢ１−４，ＱＡ１，ＱＢ１−１」の順序で適用される。また、偶数番目の走査電極グループＧ２，Ｇ４，Ｇ６，…に対しては、適用順序が一つシフトされ、「ＱＢ１−２，ＱＡ１，ＱＢ１−３，ＱＡ１，ＱＢ１−４，ＱＡ１，ＱＢ１−１，ＱＡ１」の順序で各走査パターン群が適用される。
【００３７】
本実施形態においては、第１および第２実施形態と同様に、全ての走査電極グループに対して種別Ａおよび種別Ｂの走査パターン群がフレーム毎に交互に適用される。従って、何れの走査電極に対しても、「信号電極電圧が±Ｖ１になるフレーム」と、「信号電極電圧が±Ｖ２またはＶＣになるフレーム」が交互に発生する。これにより、第１および第２実施形態と同様に、信号電極電圧における歪みの影響が平均化され、表示データＤが同一である２つの画素の輝度差すなわち表示ムラを緩和することができる。
【００３８】
また、反転対象となる走査電極は、全ての走査電極Ｒ１〜Ｒ４であり、これらのうち一つの走査電極に着目するならば、極性反転の頻度が８フレームに１回になり、第１および第２実施形態と比較して反転の頻度を一層少なくすることができる。これにより、走査電極電圧の極性毎の特性差に基づく表示ムラむらがさらに緩和され、一層高品位な表示を行うことが可能になる。
【００３９】
4．第４実施形態
次に、本発明の第４実施形態の液晶表示素子の駆動方法について説明する。
本実施形態においては、第１実施形態の走査パターン群および適用順序（図３）に代えて、図６に示す走査パターン群および適用順序によって各走査電極が駆動される。
【００４０】
図示のように、本実施形態においては、ＱＡ１（出願当初の請求項３における一の第１の行列），ＱＢ１−２（同、第２の行列），ＱＡ２（同、他の第１の行列），ＱＢ２−３（同、第３の行列）の合計４種類の走査パターン群が用いられる。これらの走査パターン群は、フレーム毎に、また走査電極グループ毎に切り換えられる。そして、４フレームを周期として（例えば第１フレーム（１Ｆ）〜第４フレーム（４Ｆ）に対して）、奇数番目の走査電極グループＧ１，Ｇ３，Ｇ５，…には、各走査パターン群は「ＱＡ１，ＱＢ１−２，ＱＡ２，ＱＢ２−３」の順序で適用される。また、偶数番目の走査電極グループＧ２，Ｇ４，Ｇ６，…に対しては、適用順序が一つシフトされ、「ＱＢ１−２，ＱＡ２，ＱＢ２−３，ＱＡ１」の順序で各走査パターン群が適用される。
【００４１】
本実施形態においては、第１実施形態と同様に、全ての走査電極グループに対して種別Ａおよび種別Ｂの走査パターン群がフレーム毎に交互に適用されるから、信号電極電圧における歪みの影響が平均化され、表示データＤが同一である２つの画素の輝度差すなわち表示ムラを緩和することができる。
【００４２】
さらに、本実施形態においては、種別Ａの走査パターン群としてＱＡ１，ＱＡ２の２種類が用いられている。その理由を説明しておく。まず、図２(a)を再び参照すると、走査電極Ｙ１〜Ｙ４に印加される電圧の切換回数が各々異なっていることが解る。これらの電圧波形は、理想的には同一の電圧実効値を有する筈であるが、変動回数が異なれば周波数成分に相違が生じ、容量成分による歪みの態様が異なることになる。すなわち、変動回数が多いほど電圧波形の周波数成分が高くなり、容量成分による歪みを受けやすくなる。
【００４３】
これにより、表示データＤが同一であったとしても、同一走査電極グループ内での走査電極毎に電圧波形の歪みの態様が異なり、これによって表示ムラが生じる可能性がある。そこで、本実施形態においては、電圧レベルの変動回数を平均化することにより、さらに表示ムラを緩和しようとするものである。図２(a)によれば、走査パターン群ＱＡ１が適用された走査電極グループＧ１において、走査電極Ｙ１〜Ｙ４（Ｒ１〜Ｒ４）の電圧の変動回数は、それぞれ４回，３回，３回，４回である。
【００４４】
また、走査電極電圧の極性が反転されたとしても電圧の変動回数には差が生じないため、走査パターン群ＱＢ１−２においても走査電極Ｙ１〜Ｙ４の電圧の変動回数は、それぞれ４回，３回，３回，４回である。次に、図６を参照して走査パターン群ＱＡ１，ＱＡ２を比較すると、走査パターン群ＱＡ２は、走査パターン群ＱＡ１の第１走査電極Ｒ１に係る「行」のパターン（以下、ラインパターンという）と第２走査電極Ｒ２のラインパターンとを入れ替え、さらに、第３走査電極Ｒ３のラインパターンと走査電極Ｒ４のラインパターンとを入れ替えたものに等しい。
【００４５】
このため、走査パターン群ＱＡ２またはＱＢ２−３が適用される走査電極グループにおいて、走査電極Ｙ１〜Ｙ４（Ｒ１〜Ｒ４）の電圧の変動回数は、それぞれ３回，４回，４回，３回である。従って、４フレーム周期内においては、何れの走査電極に対しても走査電極電圧の変動回数の総和は４回×２＋３回×２＝１４回になる。このように、本実施形態によれば、電圧の変動回数を一致させることによって走査電極電圧に生じる歪みの影響が平均化され、これによって第１実施形態と比較してさらに表示ムラが抑制され、高品位な表示画像を得ることができる。
【００４６】
5．第５実施形態
次に、本発明の第５実施形態の液晶表示素子の駆動方法について説明する。
本実施形態においては、第４実施形態の走査パターン群および適用順序（図６）に代えて、図７に示す走査パターン群および適用順序によって各走査電極が駆動される。すなわち、本実施形態においては、図７に示す走査パターン群ＱＡ１，ＱＢ１−２，ＱＢ１−４，ＱＡ２，ＱＢ２−３，ＱＢ２−１の合計６種類の走査パターン群が用いられる。これらの走査パターン群は、フレーム毎に、また走査電極グループ毎に切り換えられる。
【００４７】
そして、８フレームを周期として（例えば第１フレーム（１Ｆ）〜第８フレーム（８Ｆ）に対して）、奇数番目の走査電極グループＧ１，Ｇ３，Ｇ５，…には、各走査パターン群は「ＱＡ１，ＱＢ１−２，ＱＡ１，ＱＢ１−４，ＱＡ２，ＱＢ２−３，ＱＡ２，ＱＢ２−１」の順序で適用される。また、偶数番目の走査電極グループＧ２，Ｇ４，Ｇ６，…に対しては、適用順序が一つシフトされ、「ＱＢ１−２，ＱＡ１，ＱＢ１−４，ＱＡ２，ＱＢ２−３，ＱＡ２，ＱＢ２−１，ＱＡ１」の順序で各走査パターン群が適用される。
【００４８】
本実施形態においては、第４実施形態と同様に、全ての走査電極グループに対して種別Ａおよび種別Ｂの走査パターン群がフレーム毎に交互に適用され、さらに、何れの走査電極においても電圧の変動回数が一致するように、２種類の種別Ａの走査パターン群ＱＡ１，ＱＡ２が用いられている点も同様である。これにより、第４実施形態と同様に、走査電極電圧および信号電極電圧における歪みの影響が平均化され、表示データＤが同一である２つの画素の輝度差すなわち表示ムラを緩和することができる。
【００４９】
また、反転対象となる走査電極は、全ての走査電極Ｒ１〜Ｒ４であり、これらのうち一つの走査電極に着目するならば、極性反転の頻度が８フレームに１回になり、第４実施形態と比較して反転の頻度を一層少なくすることができる。これにより、走査電極電圧の極性毎の特性差に基づく表示ムラむらがさらに緩和され、一層高品位な表示を行うことが可能になる。
【００５０】
6．第６実施形態
次に、本発明の第６実施形態の液晶表示素子の駆動方法について説明する。
本実施形態においては、第４実施形態の走査パターン群および適用順序（図６）に代えて、図８に示す走査パターン群および適用順序によって各走査電極が駆動される。まず、本実施形態において適用される種別Ａに属する走査パターン群を「ＱＡｎ」とすると、該走査パターン群ＱＡｎに対して、各々第２，第３，第４，第１ラインパターンを極性反転した種別Ｂの「ＱＢｎ−２，ＱＢｎ−４，ＱＢｎ−３，ＱＢｎ−１」が用いられる。
【００５１】
これらの走査パターン群は、８フレーム内で（例えば第１フレーム（１Ｆ）〜第８フレーム（８Ｆ）に対して）、奇数番目の走査電極グループＧ１，Ｇ３，Ｇ５，…には、各走査パターン群は「ＱＡｎ，ＱＢｎ−２，ＱＡｎ，ＱＢｎ−３，ＱＡｎ，ＱＢｎ−４，ＱＡｎ，ＱＢｎ−１」の繰り返しパターンで適用される。そして、かかる繰り返しパターンが「ｎ＝１，２」として順次適用されるから、全体的な繰り返し周期は１６フレームになる。また、偶数番目の走査電極グループＧ２，Ｇ４，Ｇ６，…に対しては、適用順序が一つシフトされ、「ＱＢｎ−２，ＱＡｎ，ＱＢｎ−３，ＱＡｎ，…」の順序で各走査パターン群が適用される。
【００５２】
本実施形態においては、第４および第５実施形態と同様に、全ての走査電極グループに対して種別Ａおよび種別Ｂの走査パターン群がフレーム毎に交互に適用され、さらに、何れの走査電極においても電圧の変動回数が一致するように、２種類の種別Ａの走査パターン群ＱＡ１，ＱＡ２が用いられている点も同様である。これにより、第４実施形態と同様に、走査電極電圧および信号電極電圧における歪みの影響が平均化され、表示データＤが同一である２つの画素の輝度差すなわち表示ムラを緩和することができる。
【００５３】
また、反転対象となる走査電極は、全ての走査電極Ｒ１〜Ｒ４であり、これらのうち一つの走査電極に着目するならば、極性反転の頻度が８フレームに１回になり、第４実施形態と比較して反転の頻度を一層少なくすることができる。これにより、走査電極電圧の極性毎の特性差に基づく表示ムラむらがさらに緩和され、一層高品位な表示を行うことが可能になる。
【００５４】
7．第７実施形態
次に、本発明の第７実施形態の液晶表示素子の駆動方法について説明する。
本実施形態においては、第４実施形態の走査パターン群および適用順序（図６）に代えて、図９に示す走査パターン群および適用順序によって各走査電極が駆動される。まず、本実施形態において適用される種別Ａに属する走査パターン群を「ＱＡｎ」（出願当初の請求項５における４個の第１種別の行列）とすると、該走査パターン群ＱＡｎに対して、各々第２，第３，第４，第１ラインパターンを極性反転した種別Ｂの「ＱＢｎ−２，ＱＢｎ−４，ＱＢｎ−３，ＱＢｎ−１」（同、１６個の第２種別の行列）が用いられる。
【００５５】
これらの走査パターン群は、８フレーム内で（例えば第１フレーム（１Ｆ）〜第８フレーム（８Ｆ）に対して）、奇数番目の走査電極グループＧ１，Ｇ３，Ｇ５，…には、各走査パターン群は「ＱＡｎ，ＱＢｎ−２，ＱＡｎ，ＱＢｎ−３，ＱＡｎ，ＱＢｎ−４，ＱＡｎ，ＱＢｎ−１」の繰り返しパターンで適用される。そして、かかる繰り返しパターンが「ｎ＝１，２，３，４」として順次適用されるから、全体的な繰り返し周期は３２フレームになる。また、偶数番目の走査電極グループＧ２，Ｇ４，Ｇ６，…に対しては、適用順序が一つシフトされ、「ＱＢｎ−２，ＱＡｎ，ＱＢｎ−３，ＱＡｎ，…」の順序で各走査パターン群が適用される。ここで、走査パターン群ＱＡ１〜ＱＡ４の内容は、図１０(a)〜(d)に示す通りである。
【００５６】
本実施形態においては、第４ないし第６実施形態と同様に、全ての走査電極グループに対して種別Ａおよび種別Ｂの走査パターン群がフレーム毎に交互に適用され、さらに、何れの走査電極においても電圧の変動回数が一致するように、２種類の種別Ａの走査パターン群ＱＡ１，ＱＡ２が用いられている点も同様である。これにより、第４実施形態と同様に、走査電極電圧および信号電極電圧における歪みの影響が平均化され、表示データＤが同一である２つの画素の輝度差すなわち表示ムラを緩和することができる。
【００５７】
また、反転対象となる走査電極は、全ての走査電極Ｒ１〜Ｒ４であり、これらのうち一つの走査電極に着目するならば、極性反転の頻度が８フレームに１回になり、第４実施形態と比較して反転の頻度を一層少なくすることができる。これにより、走査電極電圧の極性毎の特性差に基づく表示ムラむらがさらに緩和され、一層高品位な表示を行うことが可能になる。
【００５８】
8．第８実施形態
次に、本発明の第８実施形態の液晶表示素子の駆動方法について説明する。
本実施形態においては、第４実施形態の走査パターン群および適用順序（図６）に代えて、図１０(a)〜(h)に示す走査パターン群ＱＡ１〜ＱＡ４，ＱＢ１−３，ＱＢ２−４，ＱＢ３−３，ＱＢ４−４の合計８種類の走査パターン群が用いられる。これらの走査パターン群は、フレーム毎に、また走査電極グループ毎に切り換えられる。ここで、８フレーム内で（例えば第１フレーム（１Ｆ）〜第８フレーム（８Ｆ）に対して）、奇数番目の走査電極グループＧ１，Ｇ３，Ｇ５，…および偶数番目の走査電極グループＧ２，Ｇ４，Ｇ６，…に各々適用される走査パターン群を図１１に示す。また、第８フレーム（８Ｆ）以降は、８フレーム毎に、第１フレーム（１Ｆ）〜第８フレーム（８Ｆ）の走査パターン群が繰り返し適用される。
【００５９】
本実施形態においては、第４実施形態と同様に、全ての走査電極グループに対して種別Ａおよび種別Ｂの走査パターン群がフレーム毎に交互に適用される。さらに、何れの走査電極においても電圧の変動回数が一致するように、４種類の種別Ａの走査パターン群ＱＡ１〜ＱＡ４が用いられているから、走査電極電圧および信号電極電圧における歪みの影響が一層平均化され、表示データＤが同一である２つの画素の輝度差すなわち表示ムラを緩和することができる。
【００６０】
ところで、液晶層に印加される電圧に直流成分が含まれていると液晶層が劣化するため、液晶表示素子においては、交流化駆動を行うことが一般的である。すなわち、所定周期毎（例えば１フレーム毎）に電圧の極性が切り換えられる。本実施形態においては、図１１に示すように、本実施形態においては、種別Ａ，Ｂの切換が２フレーム単位で実行される（換言すれば、種別Ａ，Ｂが２フレームづつ連続的に選定される）から、交流化駆動における周期と種別Ａ，Ｂの切換周期を一致させることができ、より高い対称性を確保することができる。
【００６１】
9．第９実施形態
次に、本発明の第９実施形態について説明する。第９実施形態においては上記第８実施形態と同様に、各４種類の種別Ａ，Ｂの走査パターン群（出願当初の請求項４における４個の第１種別の行列および４個の第２種別の行列）が８フレーム周期で循環的に適用される。但し、上記走査パターン群ＱＢ３−３，ＱＢ４ー４に代えて、図１２(a)，(b)に示す走査パターン群ＱＢ３−２，ＱＢ４−１が用いられる点が異なっている。また、本実施形態における各走査パターン群の適用規則も、図４において「ＱＡ３−３」，「ＱＡ４−４」を各々「ＱＡ３−２」，「ＱＡ４−１」に読み替えたものに等しい。
【００６２】
本実施形態においては、第８実施形態と同様に、全ての走査電極グループに対して種別Ａおよび種別Ｂの走査パターン群がフレーム毎に交互に適用され、さらに、何れの走査電極においても電圧の変動回数が一致するように、４種類の種別Ａの走査パターン群ＱＡ１〜ＱＡ４が用いられている点も同様である。そして、種別Ａ，Ｂが２フレームづつ連続的に選定されることにより交流化駆動における対称性も確保することができる。これにより、第８実施形態と同様に、走査電極電圧および信号電極電圧における歪みの影響が平均化され、表示データＤが同一である２つの画素の輝度差すなわち表示ムラを緩和することができる。
【００６３】
また、反転対象となる走査電極は、全ての走査電極Ｒ１〜Ｒ４であり、これらのうち一つの走査電極に着目するならば、極性反転の頻度が８フレームに１回になり、第８実施形態と比較して反転の頻度を一層少なくすることができる。これにより、走査電極電圧の極性毎の特性差に基づく表示ムラむらがさらに緩和され、一層高品位な表示を行うことが可能になる。
【００６４】
10．変形例
本発明は上述した実施形態に限定されるものではなく、例えば以下のように種々の変形が可能である。
(1)上記各実施形態においては、１フレーム内においては１走査電極グループ（４ライン）毎に適用される走査パターン群を切り換えたが、これを複数走査電極グループ（例えば２グループ＝８ライン、３グループ＝１２ライン）毎に切り換えても良い。
(2)上記各実施形態においては、走査パターン群の極性に付いて片側の極性のみを示しているが、一般的に、液晶表示素子に対しては、液晶の交流駆動のために、１フレームごと、或いは複数フレームごと等に走査電極電圧および信号電極電圧が極性反転される。
【００６５】
【発明の効果】
以上説明したように本発明によれば、少なくとも、第１の行列と、この第１の行列に対して一の行の要素が極性反転された関係にある第２の行列と、第１の行列に対して他の一の行の要素が極性反転された関係にある第３の行列とを交互に選定するから、波形歪みの影響が平均化され、表示ムラを抑制することができる。
【図面の簡単な説明】
【図１】  液晶表示素子における表示パターン例を示す図である。
【図２】  本発明の第１実施形態における各部の波形図である。
【図３】  第１実施形態に適用される複数の走査パターン群およびこれらの選定順序を示す図である。
【図４】  第２実施形態に適用される複数の走査パターン群およびこれらの選定順序を示す図である。
【図５】  第３実施形態に適用される複数の走査パターン群およびこれらの選定順序を示す図である。
【図６】  第４実施形態に適用される複数の走査パターン群およびこれらの選定順序を示す図である。
【図７】  第５実施形態に適用される複数の走査パターン群およびこれらの選定順序を示す図である。
【図８】  第６実施形態に適用される複数の走査パターン群の選定順序を示す図である。
【図９】  第７実施形態に適用される複数の走査パターン群の選定順序を示す図である。
【図１０】  第８実施形態に適用される複数の走査パターン群を示す図である。
【図１１】  第８実施形態に適用される複数の走査パターン群の選定順序を示す図である。
【図１２】  第９実施形態に適用される走査パターン群を示す図である。
【符号の説明】
Ｇ１, Ｇ２，……  走査電極グループ
Ｘ１，Ｘ２，……  信号電極
Ｙ１，Ｙ２，……  走査電極
【図１】
0003918549.tif 000002
【図２】
0003918549.tif 000003
【図３】
0003918549.tif 000004
【図４】
0003918549.tif 000005
【図５】
0003918549.tif 000006
【図６】
0003918549.tif 000007
【図７】
0003918549.tif 000008
【図８】
0003918549.tif 000009
【図９】
0003918549.tif 000010
【図１０】
0003918549.tif 000011
【図１１】
0003918549.tif 000012
【図１２】
0003918549.tif 000013